(57)【特許請求の範囲】
【請求項１】
上下方向に設置される枠状のフレームと、
該フレームの上部に設置されるか又は該フレームの上部を構成している上部ヘッダーと、
該フレームの下部に設置されるか又は該フレームの下部を構成している下部ヘッダーと、
該上部ヘッダーと下部ヘッダーとの間に架設された合成樹脂製の複数の放熱管とを有するパネルラジエータにおいて、
該放熱管が挿通された挿通孔を有し、該上部ヘッダーと下部ヘッダーとの間に配置され、該フレームに取り付けられたスルーパネルを備えており、
前記フレームの縦材は、筒状体と、該筒状体の内周から突設され、筒状体の長手方向に延在した複数のリブと、該筒状体の外周面から凹陥し、筒状体の長手方向に延在した複数の溝部とを有し、
前記スルーパネルの側縁が一部の該溝部に係合していることを特徴とするパネルラジエータ。
【請求項２】
請求項１において、前記溝部として筒状体のパネル面方向に対峙する１対の第１の溝部と、パネル厚み方向に対峙する１対の第２の溝部とを有し、
第１の溝部に前記スルーパネルの側縁が係合していることを特徴とするパネルラジエータ。
【請求項３】
請求項２において、該第２の溝部の筒状体外周面側の両縁部に、溝部の幅を狭くする方向の張出片が設けられていることを特徴とするパネルラジエータ。
【請求項４】
請求項３において、前記リブは、第１の溝部及び第２の溝部の内周側から筒状体の求心方向に突設されていることを特徴とするパネルラジエータ。
【請求項５】
請求項４において、各リブの求心方向の先端側で囲まれるスペースが、パネルラジエータを立設するためのアジャスターボルトの差し込み用スペースとなっていることを特徴とするパネルラジエータ。
【請求項６】
請求項３ないし５のいずれか１項において、前記上部ヘッダー、下部ヘッダー又はフレームの横材をビスによって前記縦材の上端又は下端に取り付けたパネルラジエータであって、
該ビスが前記第１の溝部と第２の溝部と筒状体とで囲まれたスペースにねじ込まれていることを特徴とするパネルラジエータ。
【請求項７】
請求項１ないし６のいずれか１項のパネルラジエータを天井と床との間に立設したパネルラジエータの立設構造であって、
アジャスターボルトを前記縦材から突出させることにより、パネルラジエータを突っ張らせた状態で天井及び床に固定し、上部ヘッダー及び下部ヘッダーをそれぞれカバーで隠蔽したことを特徴とするパネルラジエータの立設構造。
【発明の詳細な説明】
【技術分野】
【０００１】
本発明は、パネルラジエータに係り、特に壁暖房用のパネルラジエータとその立設構造に関する。
【背景技術】
【０００２】
壁暖房用のパネルラジエータとして、上部横パイプと下部横パイプとの間に多数の合成樹脂製縦パイプを架設したものが、特開２００９−２２２２９７号公報に記載されている。同号公報のパネルラジエータでは、横パイプの両端がパネルラジエータ（同号公報では放熱器）の側枠に固定されている。
【先行技術文献】
【特許文献】
【０００３】
【特許文献１】特開２００９−２２２２９７号公報
【発明の概要】
【発明が解決しようとする課題】
【０００４】
上記特開２００９−２２２２９７号公報のパネルラジエータでは、上部及び下部横パイプが固定設置され、縦パイプの上下両端が該上部及び下部横パイプに連結されているため、縦パイプが温水通水時に熱膨張によって伸長したときの応力が側枠に加えられる。
【０００５】
本発明は、上部及び下部のヘッダーと、上下方向に延設された合成樹脂製放熱管とを有し、フレームの縦材の剛性が高いパネルラジエータとその立設構造を提供することを目的とする。
【課題を解決するための手段】
【０００６】
本発明（請求項１）のパネルラジエータは、上下方向に設置される枠状のフレームと、該フレームの上部に設置されるか又は該フレームの上部を構成している上部ヘッダーと、該フレームの下部に設置されるか又は該フレームの下部を構成している下部ヘッダーと、該上部ヘッダーと下部ヘッダーとの間に架設された合成樹脂製の複数の放熱管とを有するパネルラジエータにおいて、該放熱管が挿通された挿通孔を有し、該上部ヘッダーと下部ヘッダーとの間に配置され、該フレームに取り付けられたスルーパネルを備えており、前記フレームの縦材は、筒状体と、該筒状体の内周から突設され、筒状体の長手方向に延在した複数のリブと、該筒状体の外周面から凹陥し、筒状体の長手方向に延在した複数の溝部とを有し、前記スルーパネルの側縁が一部の該溝部に係合していることを特徴とするものである。
【０００７】
請求項２のパネルラジエータは、請求項１において、前記溝部として筒状体のパネル面方向に対峙する１対の第１の溝部と、パネル厚み方向に対峙する１対の第２の溝部とを有し、第１の溝部に前記スルーパネルの側縁が係合していることを特徴とするものである。
【０００８】
請求項３のパネルラジエータは、請求項２において、該第２の溝部の筒状体外周面側の両縁部に、溝部の幅を狭くする方向の張出片が設けられていることを特徴とするものである。
【０００９】
請求項４のパネルラジエータは、請求項３において、前記リブは、第１の溝部及び第２の溝部の内周側から筒状体の求心方向に突設されていることを特徴とするものである。
【００１０】
請求項５のパネルラジエータは、請求項４において、各リブの求心方向の先端側で囲まれるスペースが、パネルラジエータを立設するためのアジャスターボルトの差し込み用スペースとなっていることを特徴とするものである。
【００１１】
請求項６のパネルラジエータは、請求項３ないし５のいずれか１項において、前記上部ヘッダー、下部ヘッダー又はフレームの横材をビスによって前記縦材の上端又は下端に取り付けたパネルラジエータであって、該ビスが前記第１の溝部と第２の溝部と筒状体とで囲まれたスペースにねじ込まれていることを特徴とするものである。
【００１２】
本発明（請求項７）のパネルラジエータの立設構造は、請求項１ないし６のいずれか１項のパネルラジエータを天井と床との間に立設したパネルラジエータの立設構造であって、アジャスターボルトを前記縦材から突出させることにより、パネルラジエータを突っ張らせた状態で天井及び床に固定し、上部ヘッダー及び下部ヘッダーをそれぞれカバーで隠蔽したことを特徴とするものである。
【発明の効果】
【００１３】
本発明のパネルラジエータでは、フレームの縦材は、筒状体と、筒状体の長手方向に延在した複数のリブと、筒状体の外周面から凹陥し、筒状体の長手方向に延在した複数の溝部とを有しているので、単なる円筒状や、四角筒状の縦材に比べて剛性が高い。また、一部の溝部にスルーパネルの側縁を係合させてスルーパネルを設置することができる。溝部として、筒状体のパネル面方向に対峙する１対の第１の溝部と、パネル厚み方向に対峙する１対の第２の溝部とを設けることにより縦材の剛性が十分に高くなる。この場合、第１の溝部にスルーパネルの側縁を係合させる。
【００１４】
この第２の溝部の筒状体外周面側の両縁部に、溝部の幅を狭くする方向に張出片を設けることにより、第２の溝部をタオルハンガーやカバー等の取り付けに利用することができる。リブを第１の溝部及び第２の溝部の内周側から求心方向に突設させることにより、縦材の剛性が高くなる。
【００１５】
この場合、各リブの求心方向の先端側で囲まれるスペースをアジャスターボルトの差し込み用スペースとして利用することができる。
【００１６】
また、第１の溝部と第２の溝部と筒状体とで囲まれたスペースにビスをねじ込むようにして、上部ヘッダー、下部ヘッダー又は横材を縦材の上端又は下端に取り付けることができる。
【００１７】
本発明のパネルラジエータの立設構造によると、縦材の上端又は下端からアジャスターボルトを突出させてパネルラジエータを天井と床との間に突っ張り状に固定設置することができる。
【００１８】
このパネルラジエータは、壁に沿った位置だけでなく、壁から離隔した位置に間仕切り状に設置することもできる。パネルラジエータを間仕切り状に設置した場合には、パネルラジエータユニットの両側の部屋を暖房することができる。
【００１９】
フレームに上部カバー、下部カバー及びスルーパネルを設けることにより美観が向上する。
【００２０】
なお、このスルーパネルを半透明とすることにより、放熱管から輻射される遠赤外線の透過率が高くなり、暖房効率が向上する。
【図面の簡単な説明】
【００２１】
【図１】カバーを装着した状態のパネルラジエータ及びその設置構造を示す斜視図である。
【図２】カバーを取り外した状態におけるパネルラジエータ及びその設置構造を示す斜視図である。
【図３】温水通水停止時における、カバーを取り外した状態のパネルラジエータの構成を示す、下方から見上げた状態の斜視図である。
【図４】温水通水時における、カバーを取り外した状態のパネルラジエータの構成を示す、下方から見上げた状態の斜視図である。
【図５】（ａ）図は縦材の水平断面図、（ｂ）図は縦材の斜視図である。
【図６】（ａ）図は図１のVI−VI線に沿う断面図、（ｂ）図はスルーパネルの断面図である。
【図７】図３のVII−VII線断面図である。
【図８】下部ヘッダーと縦材との取り付け方法を示す分解斜視図である。
【図９】（ａ）図は、縦材とアジャスターボルトとの係合関係を示す斜視図、（ｂ）図は同縦断面図である。
【図１０】縦材へのタオルハンガーの取付状態を示す水平断面図である。
【図１１】上部ヘッダーと放熱管との接続方法を示す説明図である。
【図１２】（ａ）図は放熱管とスルーパネルとを示す斜視図、（ｂ）図は放熱管下端のジョイントを示す斜視図、（ｃ）図は放熱管とジョイントとの接続方法を示す斜視図である。
【図１３】放熱管と下部ヘッダーとの接続方法を示す説明図である。
【図１４】放熱管と下部ヘッダーとの接続方法を示す説明図である。
【発明を実施するための形態】
【００２２】
以下、図面を参照して実施の形態について説明する。
【００２３】
第１図の通り、床１と天井２との間にパネルラジエータ３が立設されている。このパネルラジエータ３は、第２図〜第４図に示される通り、長方形枠状のフレーム４と、該フレーム４の上部に設置された上部ヘッダー５と、フレーム４の下部に設置された下部ヘッダー６と、該上部ヘッダー５と下部ヘッダー６との間に架設された放熱管７と、フレーム４の上部及び下部から突設されたアジャスターボルト８と、上部ヘッダー５をフレーム４の上部アングル４Ｂに吊支しているバネ（この実施の形態ではコイルバネ）１０と、放熱管７が挿通されたスルーパネル２０等を備えている。
【００２４】
フレーム４は、好ましくはアルミ等の軽金属よりなるものであり、１対の縦材４Ａ，４Ａと、該縦材４Ａ，４Ａの上端同士の間に架設された上部アングル４Ｂと、縦材４Ａ，４Ａの下端同士の間に架設された下部ヘッダー６とにより、長方形の縦長枠状とされている。
【００２５】
この縦材４Ａの水平断面形状について、第５図を参照して説明する。この縦材４Ａはアルミ押出材よりなる略々円筒状であるが、外周面の４等分位置（第５図（ａ）の上、右、下、左）に溝部４ａ，４ｂ，４ｃ，４ｄが設けられている。溝部４ａ〜４ｄ間の筒状体外周部は、円弧状部４eとなっている。溝部４ｂ，４ｄは、第６図（ａ）のようにパネルラジエータ３のパネル面方向に対峙しており、該溝部４ｂ，４ｄの一方にスルーパネル２０の側縁が係合する。溝部４ａ，４ｃは、パネル厚み方向に対峙している。該溝部４ａ，４ｃの入口側、すなわち、縦材４Ａの外周面側の両縁部には、この外周面を延長した形状の張出片４ｆ，４ｆが設けられている。
【００２６】
この張出片４ｆ，４ｆを利用して第１０図の如く、タオルハンガー３０などの付属品を取付けることができる。なお、第１０図においては、水平棒状のタオルバー３１の両端にＬ形のブラケット３２が固定されており、このブラケット３２が溝部４ｃに対し、パッキン３３を介して重なっている。溝部４ｃ内にピース３４が配置され、張出部４ｆ，４ｆに裏側から重なっている。なおピース３４は、略長方形であり、その短手幅は張出片４ｆ，４ｆ間の間隔よりも小さく、張出片４ｆ，４ｆ間を通って、溝部４ｃ内に出し入れ可能である。ピース３４の長手方向は、張出片４ｆ，４ｆ間の間隔よりも大きく、張出片４ｆ，４ｆ間に跨ることが可能である。ピース３４からボルト３５が突設されており、該ボルト３５がパッキン３３、ブラケット３２を貫通している。該ボルト３５にワッシャを介してナット３６を締め込むことにより、タオルハンガー３０が縦材４Ａの所望高さに固定される。ボルト３５の先端に化粧キャップ３７が冠着されている。
【００２７】
第５図において、各溝部４ａ〜４ｄの内周面側から、縦材４Ａの求心方向に（すなわち、軸心位置に向かって）リブ４ｇ，４ｈ，４ｉ，４ｊが突設されている。各リブ４ｇ〜４ｊの突出方向の先端は、縦材４Ａの軸心かつ等半径に位置している。リブ４ｇ〜４ｊの先端で囲まれるスペースが第９図（ｂ）のアジャスターボルト８の挿入スペース４ｓである。第９図の通り、アジャスターボルト８の先端を該スペース４ｓに挿入し、アジャスターボルト８の途中のナット８Ｎと縦材４Ａの端面との間に圧縮コイルバネ８Ｓが介在される。
【００２８】
溝４ａ，４ｂと円弧状部４ｅとの間、溝４ｂ，４ｃと円弧状部４ｅとの間、溝４ｃ，４ｄと円弧状部４ｅとの間、溝４ｄ，４ａと円弧状部４ｅとの間が、それぞれビスの挿入スペース４ｔとなっている。このスペース４ｔにビスをねじ込むことにより、上部アングル４Ｂと下部ヘッダー６がそれぞれ縦材４Ａ，４Ａの上端及び下端に連結固定される。
【００２９】
下部ヘッダー６の取付構造を第８図に示す。なお第８図は、この取付状況を示す下方から見上げた斜視図である。下部ヘッダー６の長手方向の両端から突片６ｔが突設され、この突片６ｔのビス挿通孔６ｈにテクスビス６ｇが挿通され、スペース４ｔにねじ込まれる。これにより、下部ヘッダー６が縦材４Ａ，４Ａの下端に固定されている。図示は省略するが、縦材４Ａ，４Ａの上端に対して上部アングル４Ｂの両端が同様にビス留めされる。
【００３０】
第２図〜第４図の通り、下部ヘッダー６には、床１の開口１１を通過した温水循環配管１２，１３の一端が接続されている。この配管１２，１３はポリブテン、架橋ポリエチレン等の合成樹脂よりなり、その他端はボイラや分岐ヘッダー（図示略）に接続されている。
【００３１】
放熱管７は、この実施の形態ではポリブテン、架橋ポリエチレン等の合成樹脂チューブよりなり、スルーパネル２０に挿通され、上部ヘッダー５及び下部ヘッダー６に接続されている。この接続方法については後述する。
【００３２】
第３図及び第４図に明示される通り、上部ヘッダー５は、上部アングル４Ｂよりも所定距離下方に位置しており、上部ヘッダー５と上部アングル４Ｂとの間には、所定の間隙があいている。この上部アングル４Ｂに対し上部ヘッダー５がコイルバネ１０によって吊り支えられており、温水を放熱管７に通水して放熱管７が熱膨張により伸長したときの伸びを吸収するように構成されている。第７図の通り、フレーム４の縦材４Ａの上端部の溝部４ｂ又は４ｄに対し、バネ１０の半分が配置され、溝部４ｂ又は４ｄに沿って上下方向に伸縮可能とされている。
【００３３】
放熱管７が挿通されたスルーパネル２０は、ポリカーボネート等の透明又は半透明な合成樹脂よりなる。このスルーパネル２０は、第６図（ｂ）及び第１２図（ａ）の通り、平行な１対の主板面２１，２１と、該主板面２１，２１同士を接続するリブ部２２とを有したハーモニカ形断面形状となっており、隣接するリブ部２２同士の間が放熱管７の挿通孔２３となっている。リブ部２２は主板面２１と垂直である。挿通孔２３は、縦材４Ａと平行方向に延在する。挿通孔２３は、方形断面形状である。
【００３４】
パネルラジエータ３を組み立てるには、縦材４Ａ，４Ａを平行に並べ、それらの下端同士を下部ヘッダー６によって連結し、縦材４Ａ，４Ａ間にスルーパネル２０を配置する。このスルーパネル２０は、その左右の両側縁が縦材４Ａ，４Ａの溝部４ｂ，４ｄに係合することにより、フレーム４に保持されている。
【００３５】
前記上部ヘッダー５には、第１１図の通り、下面側にタケノコ形（すなわち、先細状のテーパ部が多段に連設された形状）のノズル状の接続部５ａが突設されている。放熱管７の上端をこの接続部５ａに差し込み、バンド３０を外嵌させて締め付け、抜け止めする。
【００３６】
この放熱管７の下端に、第１２図の通り、Ｅリング及びバンド装着前のジョイント４０を差し込む。このジョイント４０は、基端側がタケノコ部４１となっており、放熱管７に差し込まれる。ジョイント４０の先端側は円筒部４２となっており、２本のＯリング４３が嵌装されている。ジョイント４０の長手方向の中間部は円筒形の鍔部４４となっている。この鍔部４４の外径は、放熱管７の外径と同一か、それよりも若干大きいものとなっている。円筒部４２と鍔部４４との間に、Ｅリング装着溝４５が周設されている。
【００３７】
このように上部ヘッダー５に放熱管７の上端を接続し、各放熱管７の下端にジョイント４０を装着した後、各放熱管７を第１２図（ａ）及び第１３図に示されるようにスルーパネル２０の挿通孔２３に挿通させ、第１３図の通りスルーパネル２０の下端から下方に突出させる。そして、各放熱管７の下端にバンド５０を外嵌させて締め付け、ジョイント４０の抜け止めを行う。次いで、ジョイント４０の溝４５にＥリング５１を装着する。
【００３８】
その後、上部ヘッダー５を押して各放熱管７をさらに下部ヘッダー６に向って移動させ、ジョイント４０の円筒部４２を下部ヘッダー６のユニオン継手部６ａに差し込み、第１４図の通り、Ｅリング５１をユニオン継手部６ａの先端（上端）のフランジ部６ｆに重ね合わせる。そして、クリップ５３をＥリング５１とフランジ部６ｆとに係合させてジョイント４０とユニオン継手部６ａとを結合する。クリップ５３は、市販のＣＨクリップであり、一対の脚部５３ａと、脚部５３ａ同士を連結するブリッジ部５３ｂとを有した略Ω字形状のものであり、脚部５３ａに設けられたスリット状開口５３ｃにＥリング５１とフランジ部６ｆとが係合する。
【００３９】
なお、放熱管７をスルーパネル２０の挿通孔２３に挿通する前に、又は挿通させた後、適宜の段階で上部アングル４Ｂを縦材４Ａ，４Ａの上端間に取り付け、上部ヘッダー５と上部アングル４Ｂとをバネ１０で連結する。
【００４０】
この実施の形態によると、スルーパネル２０の細い挿通孔２３に対しても、Ｅリング５１及びクリップ５０を有しないジョイント４０及び放熱管７をスムーズに挿通させることができる。放熱管７をスルーパネル２０の挿通孔２３内に配置することにより、放熱管７を平行に保つことができる。また、放熱管７の両端を各ヘッダー５，６に容易に接続することができる。
【００４１】
パネルラジエータ３を床１と天井２との間に間仕切り状に立設するには、ヘッダー５，６、スルーパネル２０、放熱管７、アジャスターボルト８及びコイルバネ１０を備えたフレーム４を部屋のパネルラジエータ設置予定位置にて起立させる。なお、下側のアジャスターボルト８と床１との間、及び上側のアジャスターボルト８と天井２との間には、ゴム、合成樹脂等よりなる固定座９又はパッキンを介在させるのが好ましい。次いで、パネルラジエータ３が鉛直となるように支えた状態で、アジャスターボルト８のナット８Ｎを回して縦材４Ａからの突出長さを増大させ、パネルラジエータ３を床１と天井２との間で突っ張らせて固定する。
【００４２】
次いで、温水循環配管１２，１３を下部ヘッダー６に接続する。その後、フレーム４の上部にカバー１６を取り付け、フレーム４の下部にカバー１７を取り付け、各ヘッダー５，６を隠蔽する。これらのカバー１６，１７は例えば半割体の嵌め合いやビス留めによりフレーム４に固定される。
【００４３】
このように構成されたパネルラジエータ３にあっては、縦材４Ａが溝部４ａ〜４ｄ及びリブ４ｇ〜４ｊを有しており、剛性が高い。この実施の形態では、ヘッダー５，６がカバー１６，１７で隠蔽され、また、放熱管７が透明又は半透明のスルーパネル２０で覆われるので、美観に優れる。
【００４４】
このパネルラジエータ３の放熱管７に温水を循環通水することにより、熱がパネルラジエータ３の両面から輻射される。スルーパネル２０が半透明であるので、放熱管７からの遠赤外線が効率よく部屋内に放射される。
【００４５】
温水を通水することにより、第４図のように放熱管７が熱膨張して伸長し、また温水通水を停止すると、第３図のように放熱管７が縮んで短くなるが、この放熱管７の伸縮はバネ１０によって吸収される。この実施の形態では、上部ヘッダー５の両端を吊支するバネ１０がそれぞれ溝４ｂ，ｄに収容されているので、上部ヘッダー５の揺れ動きが防止される。
【００４６】
この実施の形態では、下部ヘッダー６が固定状態となっているので、下部ヘッダー６と温水循環配管１２，１３との接続部に放熱管７の熱膨張による応力が負荷されず、この接続部の耐久性が良好である。
【００４７】
上記実施の形態は本発明の一例であり、本発明は図示以外の態様とされてもよい。例えば、ジョイント４０を放熱管７の上端に装着し、ユニオン継手部６ａを上部ヘッダー５に設け、ノズル状接続部５ａを下部ヘッダー６に設けてもよい。
【００４８】
また、放熱管７の本数は図示以外でもよい。上部ヘッダー５を縦材４Ａ，４Ａ間に架設し、下部ヘッダー６を上下動可能にバネによって支えてもよい。
【００４９】
なお、特に本発明を限定するものではないが、前記バネ１０としては、線径１ｍｍのピアノ線を直径（外径）８．６ｍｍに巻回したものであって、４０ｍｍ変形（伸長）時の引張荷重が５ｋｇｆであるものを用いることができる。
【００５０】
本発明のパネルラジエータは壁に沿って立設されてもよい。
【符号の説明】
【００５１】
１  床
２  天井
３  パネルラジエータ
４  フレーム
４Ａ  縦材
４ａ〜４ｄ  溝部
４ｅ  円弧状部
４ｆ  張出片
４ｇ〜４ｊ  リブ
４ｓ  アジャスターボルトの挿入用スペース
４ｔ  ビスの挿入用スペース
４Ｂ  上部アングル
５  上部ヘッダー
５ａ  ノズル状接続部
６  下部ヘッダー
６ａ  ユニオン継手部
６ｆ  フランジ部
６ｈ  ビス挿通孔
６ｔ  突片
７  放熱管
８  アジャスターボルト
１０  バネ
１２，１３  温水循環配管
２０  スルーパネル
２３  放熱管の挿通孔
３０，５０  バンド
４０  ジョイント
４１  タケノコ部
４２  円筒部
４３  Ｏリング
４５  溝
５１  Ｅリング
５３  クリップ
【図１】
0005494257.tif 000002
【図２】
0005494257.tif 000003
【図３】
0005494257.tif 000004
【図４】
0005494257.tif 000005
【図５】
0005494257.tif 000006
【図６】
0005494257.tif 000007
【図７】
0005494257.tif 000008
【図８】
0005494257.tif 000009
【図９】
0005494257.tif 000010
【図１０】
0005494257.tif 000011
【図１１】
0005494257.tif 000012
【図１２】
0005494257.tif 000013
【図１３】
0005494257.tif 000014
【図１４】
0005494257.tif 000015